(57)【要約】【課題】スピーカユニットからその背後側に出力される音波を、より効果的に減衰させることである。【解決手段】スピーカ装置１は、スピーカユニット１０と、複数の棒状体３１を空間に不規則に配置して互いに一体に繋げ、スピーカユニット１０の背後の空間に配置したエンクロージャ３０と、を有する。【選択図】図１
2019140587.tif 000002
【特許請求の範囲】
【請求項１】
スピーカユニットと、
複数の構造部材を空間に不規則に配置して互いに一体に繋げ、前記スピーカユニットの背後の空間に配置した構造体と、
を有し、
前記不規則とは、予め決められたものであるスピーカ装置。
【請求項２】
前記複数の構造部材は、棒状体、板状体、球体、多面体、楕円体、錐体、及びこれら形状の複合体の少なくとも何れかである請求項１に記載のスピーカ装置。
【請求項３】
前記構造体は、前記スピーカユニットの背後に前記スピーカユニットに隣接して配置される請求項１又は２に記載のスピーカ装置。
【請求項４】
前記構造部材における最大部分の長さは、複数種類ある請求項１乃至３の何れか１項に記載のスピーカ装置。
【請求項５】
前記構造部材における最大部分の長さは、前記スピーカユニットのコーン紙の直径以下である請求項１乃至４の何れか１項に記載のスピーカ装置。
【請求項６】
前記複数の構造部材を空間に不規則に配置して互いに一体に繋げることで構造体の外周には、当該構造体の内部の空間に繋がる複数の空間が形成されており、前記複数の空間は、前記スピーカユニットが取り付けられている部分を除き、一部又は全部が外方からみて遮蔽されることなく外方に臨む請求項１乃至５の何れか１項に記載のスピーカ装置。
【請求項７】
前記構造体は、前記複数の構造部材を空間に不規則に配置して互いに一体に繋げられて全体として球形状をなし、
前記スピーカユニットは、当該スピーカユニットのコーンの中心を通る中心線と、前記構造体の中心を通る直線とが一致するように前記構造体に取り付けられる請求項１乃至６の何れか１項に記載のスピーカ装置。
【請求項８】
前記構造体は、前記スピーカユニットのフレームに接合部を形成されることなく一体に形成される請求項１乃至７の何れか1項に記載のスピーカ装置。
【請求項９】
スピーカユニットと、
前記スピーカユニットが周壁に取り付けられる筐体、及び前記筐体内で前記スピーカユニットの背後の空間に配置され、複数の構造部材を空間に不規則に配置して互いに一体に繋げられつつ前記筐体に接合部を形成されることなく一体に形成された構造体を有するエンクロージャと、
を有し、
前記不規則とは、予め決められたものであるスピーカ装置。
【請求項１０】
スピーカユニットと、
前記スピーカユニットの背後の空間に配置され非晶質体構造の形状を模した形状の構造体と、
を有し、
前記非晶質体構造の形状は、予め決められた不規則さをもった形状であるスピーカ装置。
【請求項１１】
スピーカユニットと、
前記スピーカユニットの背後の空間に配置されて、前記空間を区画部材によって区画して複数の空間を形成する構造体と、
を有し、
前記区画部材は、予め決められた不規則さをもって配置されるスピーカ装置。
【請求項１２】
スピーカユニットと、
前記スピーカユニットに隣接して配置され、当該スピーカユニットから出力される全方向の逆相の音波が入力されて、当該音波を直進させずに迂回させて進ませる形状の構造体と、
を有し、
前記形状は、予め決められた不規則さをもった形状であるスピーカ装置。
【請求項１３】
スピーカユニットの背後の空間に配置され、複数の構造部材を不規則に配置して互いに一体に繋げた構造体を有し、
前記不規則とは、予め決められたものであるエンクロージャ。
【発明の詳細な説明】
【技術分野】
【０００１】
本発明は、スピーカの技術に関する。
【背景技術】
【０００２】
従来より、スピーカユニットの背後側から出力される音波に起因した定在波を抑制する技術がある（例えば特許文献１）。
【先行技術文献】
【特許文献】
【０００３】
【特許文献１】特開２０１０−２８８２２０号
【発明の概要】
【発明が解決しようとする課題】
【０００４】
本発明の目的は、スピーカユニットからその背後側に出力される音波を、より効果的に減衰させることである。
【課題を解決するための手段】
【０００５】
前記課題を解決するために、本発明の第１の態様は、スピーカユニットと、複数の構造部材を空間に不規則に配置して互いに一体に繋げ、前記スピーカユニットの背後の空間に配置した構造体と、を有し、前記不規則とは、予め決められたものであるスピーカ装置である。
【０００６】
本発明の第２の態様では、前記複数の構造部材は、棒状体、板状体、球体、多面体、楕円体、錐体、及びこれら形状の複合体の少なくとも何れかであることが好ましい。
【０００７】
本発明の第３の態様では、前記構造体は、前記スピーカユニットの背後に前記スピーカユニットに隣接して配置されることが好ましい。
【０００８】
本発明の第４の態様では、前記構造部材における最大部分の長さは、複数種類あることが好ましい。
【０００９】
本発明の第５の態様では、前記構造部材における最大部分の長さは、前記スピーカユニットのコーン紙の直径以下であることが好ましい。
【００１０】
本発明の第６の態様では、前記複数の構造部材を空間に不規則に配置して互いに一体に繋げることで構造体の外周には、当該構造体の内部の空間に繋がる複数の空間が形成されており、前記複数の空間は、前記スピーカユニットが取り付けられている部分を除き、一部又は全部が外方からみて遮蔽されることなく外方に臨むことが好ましい。
【００１１】
本発明の第７の態様では、前記構造体は、前記複数の構造部材を空間に不規則に配置して互いに一体に繋げられて全体として球形状をなし、前記スピーカユニットは、当該スピーカユニットのコーンの中心を通る中心線と、前記構造体の中心を通る直線とが一致するように前記構造体に取り付けられることが好ましい。
【００１２】
本発明の第８の態様では、前記構造体は、前記スピーカユニットのフレームに接合部を形成されることなく一体に形成されることが好ましい。
【００１３】
前記課題を解決するために、本発明の第９の態様は、スピーカユニットと、前記スピーカユニットが周壁に取り付けられる筐体、及び前記筐体内で前記スピーカユニットの背後の空間に配置され、複数の構造部材を空間に不規則に配置して互いに一体に繋げられつつ前記筐体に接合部を形成されることなく一体に形成された構造体を有し、前記不規則とは、予め決められたものであるエンクロージャと、を有するスピーカ装置である。
【００１４】
前記課題を解決するために、本発明の第１０の態様は、スピーカユニットと、前記スピーカユニットの背後の空間に配置され非晶質体構造の形状を模した形状の構造体と、を有し、前記非晶質体構造の形状は、予め決められた不規則さをもった形状であるスピーカ装置である。
【００１５】
前記課題を解決するために、本発明の第１１の態様は、スピーカユニットと、前記スピーカユニットの背後の空間に配置されて、前記空間を区画部材によって区画して複数の空間を形成する構造体と、を有し、前記区画部材は、予め決められた不規則さをもって配置されるスピーカ装置である。
【００１６】
前記課題を解決するために、本発明の第１２の態様は、スピーカユニットと、前記スピーカユニットに隣接して配置され、当該スピーカユニットから出力される全方向の逆相の音波が入力されて、当該音波を直進させずに迂回させて進ませる形状の構造体と、を有し、前記形状は、予め決められた不規則さをもった形状であるスピーカ装置である。
【００１７】
前記課題を解決するために、本発明の第１３の態様は、スピーカユニットの背後の空間に配置され、複数の構造部材を不規則に配置して互いに一体に繋げた構造体を有し、前記不規則とは、予め決められたものであるエンクロージャである。
【発明の効果】
【００１８】
本発明の前記第１の態様によれば、スピーカ装置は、スピーカユニットからその背後側に出力される音波を、複数の構造部材に当てたり、複数の構造部材によって形成された空間を通過させたりすることによって、減衰させることができる。
【００１９】
本発明の前記第２の態様によれば、複数の構造部材は、棒状体、板状体、球体、多面体、楕円体、錐体、及びこれら形状の複合体の少なくとも何れかであり、簡易な形状の部材によって形成される。
【００２０】
本発明の前記第３の態様によれば、スピーカ装置は、構造体がスピーカユニットの背後にスピーカユニットに隣接して配置されることによって、スピーカユニットからその背後側に出力される音波を効果的に減衰できる。
【００２１】
本発明の前記第４の態様によれば、スピーカ装置は、構造部材における最大部分の長さが複数種類に設定されることによって、構造部材の固有振動数を分散させることができる。
【００２２】
本発明の前記第５の態様によれば、構造体は、構造部材における最大部分の長さがスピーカユニットのコーン紙の直径以下であることによって、よりコンパクトに構成される。
【００２３】
本発明の前記第６の態様によれば、スピーカ装置は、構造体の外周に形成される当該構造体の内部の空間に繋がる複数の空間が外方からみて遮蔽されることなく外方に臨むことによって、スピーカユニットからその背後側に出力される音波が構造体内を通り抜けやすくすることができる。
【００２４】
本発明の前記第７の態様によれば、スピーカユニットのコーンの中心を通る中心線に対して構造体が対称的な形状となるため、スピーカ装置は、スピーカユニットからその背後側に出力される音波を効果的に減衰できる。
【００２５】
本発明の前記第８の態様によれば、構造体がスピーカユニットのフレームに接合部が形成されることなく一体に形成されることによって、スピーカ装置は、スピーカユニットからその背後側に出力される音波をより効果的に減衰できる。
【００２６】
本発明の前記第９の態様によれば、スピーカ装置は、エンクロージャが筐体を有する場合でも、筐体が構造体に一体に形成されるため、筐体の振動に起因した定在波の発生をより効果的に抑制できる。
【００２７】
本発明の前記第１０の態様によれば、構造体は、非晶質体構造を模した形状になることによって、より簡易に構成できる。例えば、数式によって構造体の構造を表現できるようになるため、構造体は、より簡易に製造されるようになる。
【００２８】
本発明の前記第１１の態様によれば、スピーカ装置は、スピーカユニットからその背後側に出力される音波を、区画部材に当てたり、区画部材によって区画された空間を通過させたりすることによって、減衰させることができる。
【００２９】
本発明の前記第１２の態様によれば、スピーカ装置は、スピーカユニットから出力される全方向の逆相の音波を、スピーカユニットに隣接して配置した構造体にて直進させずに迂回させて進ませることによって、減衰させることができる。
【００３０】
本発明の前記第１３の態様によれば、エンクロージャは、スピーカユニットからその背後側に出力される音波を、複数の棒状体又は板状体に当てたり、複数の棒状体又は板状体によって形成された空間を通過させたりすることによって、減衰させることができる。
【図面の簡単な説明】
【００３１】
【図１】図１は、第１の実施形態におけるスピーカ装置の構成例を示す図である。
【図２】図２は、スピーカユニットの構成例を示す図である。
【図３】図３は、非晶質構造の例を示す図である。
【図４】図４は、スピーカユニットとエンクロージャとの位置関係を示す概要図である。
【図５】図５は、第２の実施形態におけるスピーカ装置の構成例を示す図である。
【図６】図６は、スピーカ装置の他の構成例を示す図である。
【図７】図７は、筐体を構造体の外周の一部を覆う形状にした一例を示す図である。
【発明を実施するための形態】
【００３２】
本発明の実施形態を図面を参照しつつ説明する。
（第１の実施形態）
第１の実施形態では、スピーカ装置を挙げている。
【００３３】
（構成）
図１は、第１の実施形態におけるスピーカ装置１の構成例を示す図である。
図１に示すように、スピーカ装置１は、スピーカユニット１０、エンクロージャ３０を有している。
【００３４】
図２は、スピーカユニット１０の構成例を示す図である。
図２に示すように、スピーカユニット１０は、一般的なスピーカユニットである。すなわち、スピーカユニット１０は、フレーム１１、マグネット１２、ボイスコイル１３、コーン紙（振動板、振動子）１４、ダンパー１５、エッジ１６、センターキャップ１７等を有している。
【００３５】
ここで、フレーム１１は、スピーカユニット１０においていわゆる骨組となり、スピーカユニット１０の各構成部が取り付けられている。すなわち、フレーム１１に、マグネット１２、ボイスコイル１３、コーン紙１４が取り付けられている。ここで、マグネット１２は、フレーム１１に強固に固定されている。また、ボイスコイル１３、及びコーン紙１４は、スピーカユニット１０において振動する部位になるため、ボイスコイル１３は、ダンパー１５を介してフレーム１１に取り付けられ、コーン紙１４は、その外周を取り巻くように張られた柔軟な膜であるエッジ１６を介してフレーム１１に取り付けられている。
【００３６】
フレーム１１は、コーン紙１４の背後側の構造が複数の細いアーム１１ａで構成されている。そして、フレーム１１の外周部には、当該フレーム１１をエンクロージャにネジ止めするための図示しないネジ穴が形成されている。
マグネット１２は、ドーナツ型の永久磁石である。このマグネット１２の内周側の円筒形状の空間に、その内周面よりも多少小さい直径の円筒形状のボイスコイル１３が挿入されている。ボイスコイル１３は、コイルの一種であり、紙やプラスチックの筒に導線を巻きつけたものである。
【００３７】
スピーカユニット１０は次のように駆動される。スピーカユニット１０では、ボイスコイル１３に電気（アンプの出力）が与えられると、その外周に配置されているマグネット１２に反応してボイスコイル１３に力が発生し、コーン紙１４が振動する。このコーン紙１４の振動が空気を振動させる。ユーザには、その空気の振動による空気圧の変化が音声となって聞こえる。
なお、本実施形態において、スピーカユニット１０は、この構成に限定されないことは言うまでもない。
【００３８】
このスピーカユニット１０は、エンクロージャ３０にはめ込まれるように取り付けられている。つまり、スピーカユニット１０の背後（又は背面）に当該スピーカユニット１０に隣接してエンクロージャ３０が配置されている。
エンクロージャ３０は、外形が全体として球形状をなしている。エンクロージャ３０の内部構造は、複雑、乱雑又はランダムな形状で、いわゆる非晶質構造を模した構造又は非晶質モデル構造をなしている。
【００３９】
図３は、非晶質構造の例を示す図である。内部構造は、図３に示すような非晶質構造を模した構造によって構成されている。
具体的には、内部構造は、複数の棒状体３１を空間に不規則に配置して互いに一体に繋げられた構造をなす。より具体的には、内部構造は、様々な長さを有する複数の棒状体３１が互いに一体に組み合わされる構造をなし、各棒状体３１の端部が、当該棒状体３１に対して当該棒状体３１を含む二次元平面内又は３次元空間内に配置されている他の１つ又は複数の棒状体３１の端部と一体に繋がる構造となる。つまり、内部構造は、様々な長さの各棒状体３１、又はランダムな長さを持つ各棒状体３１が、その端部で他の１つ又は複数の棒状体３１の端部と繋がり、３次元的な構造をなしている。ここで、前記の不規則とは、予め決められたもの、予め設定されたもの、又は予め設計されたものである。または、前記の不規則さは、予め決められたもの、予め設定されたもの、又は予め設計されたものである。または、その不規則性は、予め決められたもの、予め設定されたもの、又は予め設計されたものである。これによって、エンクロージャ３０は、内部構造の形状が不規則となりつつも同一の形状のものとして再現可能に製造等されるようになる。
【００４０】
そして、エンクロージャ３０の外周面の一部に、図示しないスピーカユニット１０の収納取り付け部が形成されている。収納取り付け部は、スピーカユニット１０の背後側の形状に合致する凹部形状をなしている。また、エンクロージャ３０の外周面であって収納取り付け部の外周には、図示しないスピーカユニット１０の固定取り付け部が形成されており、スピーカユニット１０（具体的にはフレーム１１）の外周が固定取り付け部にネジ等によって固定されている。
【００４１】
ここで、棒状体３１は、例えば、断面形状が円形状の丸棒である。また、棒状体３１の長さは、例えば、スピーカユニット１０のコーン紙１４の直径以下である。また、エンクロージャ３０は、例えば、３Ｄプリンタによって各棒状体３１が接着されて接合されるようなことなく、一体に形成される。この場合、前記の不規則さは、３Ｄプリンタ等によって製造可能になるように予め決められたものとなる。また、エンクロージャ３０は、例えば、レジン、プラスチック等の樹脂、金属、ガラスによって形成される。
【００４２】
エンクロージャ３０は、以上のような内部構造によって、その内部に複数の棒状体３１が繋がって囲まれて様々な形の空間を形成している。
なお、第１の実施形態において、棒状体３１は、スピーカユニット１０の背後の空間を区画し複数の空間を形成する区画部材とも言える。
【００４３】
図４は、スピーカユニット１０とエンクロージャ３０との位置関係を示す概要図である。
図４に示すように、スピーカユニット１０は、このようなエンクロージャ３０に対して、当該スピーカユニット１０のコーン紙１４の中心を通る中心線１０ａと、当該エンクロージャ３０の中心を通る直線３０ａとが一致するように当該エンクロージャ３０に取り付けられている。
【００４４】
（動作、作用等）
次に、第１の実施形態におけるスピーカ装置１の動作、作用等を説明する。
スピーカ装置１では、スピーカユニット１０を駆動すると、コーン紙１４が駆動されて、スピーカユニット１０の前面側（又は前部側）から音波が出力される。その一方で、スピーカユニット１０の背後側からは逆相の音波が出力されるが、その音波がエンクロージャ３０内で吸収される。すなわち、スピーカユニット１０の背後側に出力された音波は、複数の棒状体３１が繋がって囲まれた空間を次々と通過することで減衰する。つまり、スピーカユニット１０の背後側に出力された全方向の音波は、エンクロージャ３０内を複数の棒状体３１によって邪魔されて直進することなく迂回して進むことによって減衰する。
【００４５】
また、このとき、複数の棒状体３１がそれぞれ異なる長さを持っているため、各棒状体３１の固有振動数又は共振周波数がまちまちになるため、たとえばエンクロージャ３０を構成する各棒状体３１が全て同じ長さを持つような場合よりも共振を抑えることができる。
以上より、スピーカ装置１では、スピーカユニット１０の背後側に出力され音波が複数の棒状体３１が繋がって囲まれた空間を次々と通過することにより定在波のような発生を抑制できる。
【００４６】
（第１の実施形態における効果）
（１）スピーカ装置１は、スピーカユニット１０からその背後側に出力される音波を、複数の棒状体３１に当てたり、複数の棒状体３１によって形成された空間を通過させたりすることによって、減衰させることができる。これによって、スピーカ装置１は、スピーカユニット１０からその背後側に出力される音波に起因する定在波の発生を抑制できる。
【００４７】
（２）複数の棒状体３１は、丸棒といった簡易な形状の部材によって形成される。
（３）スピーカ装置１は、エンクロージャ３０がスピーカユニット１０の背後にスピーカユニット１０に隣接して配置されることによって、スピーカユニット１０からその背後側に出力される音波を効果的に減衰できる。
【００４８】
（４）スピーカ装置１は、棒状体３１の長さ、すなわち、棒状体３１における最大部分の長さが複数種類に設定されることによって、棒状体３１の固有振動数を分散させることができる。これにより、スピーカ装置１は、エンクロージャ３０の共振周波数を分散させて、定在波の発生をより効果的に抑制できる。
【００４９】
（５）エンクロージャ３０は、棒状体３１の長さがスピーカユニット１０のコーン紙１４の直径以下であることで、よりコンパクトに構成される。
（６）スピーカ装置１は、エンクロージャ３０の外周に形成される当該エンクロージャ３０の内部の空間に繋がる複数の空間が外方からみて遮蔽されることなく外方に臨むことによって、スピーカユニット１０からその背後側に出力される音波がエンクロージャ３０内を通り抜けやすくすることができる。これにより、スピーカ装置１は、スピーカユニット１０からその背後側に出力される音波を、効率良く、複数の棒状体３１に当てたり、複数の棒状体３１によって形成された空間を通過させたりすることができるため、スピーカユニット１０からその背後側に出力される音波をより効果的に減衰できる。
【００５０】
（７）スピーカユニット１０のコーン紙１４の中心を通る中心線に対してエンクロージャ３０が対称的な形状となるため、スピーカ装置１は、スピーカユニット１０からその背後側に出力される音波を効果的に減衰できる。
（８）エンクロージャ３０は、非晶質体構造を模した構造になることによって、より簡易に構成できる。例えば、数式によってエンクロージャ３０の構造を表現できるようになるため、エンクロージャ３０は、３Ｄプリンタ等によって、より簡易に製造されるようになる。
【００５１】
（９）スピーカ装置１は、スピーカユニット１０から出力される全方向の逆相の音波を、スピーカユニット１０に隣接して配置した構造体にて直進させずに迂回させて進ませることによって、減衰させることができる。
【００５２】
（第２の実施形態）
次に、第２の実施形態について図面を参照しつつ説明する。なお、前述の第１の実施形態と同様な構成については同一の符号を付して説明する。
第２の実施形態も、スピーカ装置２を挙げている。そして、第２の実施形態では、スピーカ装置２は、筐体を有し、その筐体の壁面にスピーカユニット１０が取り付けられている。
【００５３】
図５は、第２の実施形態におけるスピーカ装置２の構成例を示す図である。
図５に示すように、スピーカ装置２は、スピーカユニット１０、筐体６０を含むエンクロージャ５０を有している。
スピーカユニット１０は、第１の実施形態における構成と同じである。スピーカユニット１０は、筐体６０を構成する周壁に取り付けられている。
【００５４】
エンクロージャ５０は、筐体６０及び構造体７０を有している。筐体６０は、全体としてほぼ球形状をなしている。筐体６０の周壁の一部にスピーカユニット１０が取り付けられている。そのため、筐体６０の周壁には、スピーカユニット１０の背後側の構造部が収容可能な固定取り付け部（図示しない）が形成されており、スピーカユニット１０の外周が固定取り付け部にネジ等によって固定されている。
【００５５】
エンクロージャ５０は、その内部に、構造体７０として前記第１の実施形態におけるエンクロージャ３０と同様な構造の構造体７０を有している。すなわち例えば、構造体７０は、スピーカユニット１０の背後に当該スピーカユニット１０に隣接して配置されている。そして、構造体７０は、様々な長さを有する複数の棒状体７１が互いに一体に組み合わされる構造をなし、各棒状体７１の端部が、当該棒状体７１に対して当該棒状体７１を含む二次元平面内又は３次元空間内に配置されている他の１つ又は複数の棒状体７１の端部と一体に繋がる構造をなす。
【００５６】
そして、構造体７０の外周面であって筐体６０の固定取り付け部が形成されている位置に対応する部分に、図示しないスピーカユニット１０の収納取り付け部が形成されている。収納取り付け部は、スピーカユニット１０の背後側の形状に合致する凹部形状をなしている。
エンクロージャ５０では、構造体７０と筐体６０とが一体に形成されている。例えば、構造体７０と筐体６０とは、３Ｄプリンタによって一体に形成される。また、エンクロージャ５０は、例えば、レジン、プラスチック等の樹脂、金属、ガラスを用いて、構造体７０と筐体６０とが一体に形成される。
なお、図５は、筐体６０の周壁の一部がなく構造体７０が外に臨んでいるが、これは、筐体６０内に構造体７０があることを示すことを説明するために筐体６０の周壁の一部を欠いており、実際には、筐体６０の周壁は、欠けていない。
【００５７】
（動作、作用等）
次に、第２の実施形態におけるスピーカ装置２の動作、作用等を説明する。
第２の実施形態でも同様、スピーカユニット１０を駆動するとスピーカユニット１０の背後側からも音波が出力されるが、その音波がエンクロージャ５０内で吸収される。すなわち、スピーカユニット１０の背後側に出力された音波は、エンクロージャ５０内の構造体７０において複数の棒状体７１が繋がって囲まれた空間を次々と通過することで減衰する。
【００５８】
また、このとき、複数の棒状体７１がそれぞれ異なる長さを持っているため、各棒状体７１の固有振動数又は共振周波数がまちまちになるため、たとえばエンクロージャ５０を構成する各棒状体７１が全て同じ長さを持つような場合よりも共振を抑えることができる。
また、筐体６０と構造体７０とが一体に形成されるため、筐体６０は、構造体７０との結合により振動が抑制されるため、スピーカユニット１０の背後側から出力される音波による振動が抑制される。
【００５９】
以上より、スピーカ装置２では、スピーカユニット１０の背後側に出力され音波が複数の棒状体７１が繋がって囲まれた空間を次々と通過することにより定在波のような発生を抑制できる。
【００６０】
（第２の実施形態における効果）
第２の実施形態では、前記の第１の実施形態における効果と同様な効果の他に、以下のような効果を得ることができる。
（１）スピーカ装置２は、エンクロージャ５０が筐体６０を有する場合でも、筐体６０が構造体７０に一体に形成されるため、筐体６０の振動に起因した定在波の発生をより効果的に抑制できる。
なお、以上の実施形態の説明において、棒状体３１，７１は、例えば、構造部材を構成する。
【００６１】
（本実施形態の変形例等）
前記の実施形態の他の例として、棒状体３１，７１の長さを全て同じにすることもできる。
また、前記の実施形態の他の例として、棒状体３１，７１の断面形状は、円形にされることに限定されず、棒状体３１，７１の断面形状を他の形状にすることもできる。例えば、棒状体３１，７１の断面形状を、断面多角形にすることもできる。また、棒状体３１，７１を、断面長方形状の板状体にするすることもできる。また、棒状体３１，７１は、棒状体、板状体に加えて、球体、多面体、楕円体、錐体、及びこれら形状の複合体の少なくとも何れかにすることもできる。この場合、エンクロージャ５０や構造体７０において、棒状体、板状体、球体、多面体、楕円体、錐体、又はこれら形状の複合体の最大部分の長さ（長さ、幅、高さ等）を他のものと異なる長さにすることもできる。また、棒状体、板状体、球体、多面体、楕円体、錐体、又はこれら形状の複合体の最大部分の長さ（長さ、幅、高さ等）をスピーカユニット１０のコーン紙の直径以下することもできる。また、錐体の場合、円錐、角錐（三角錐、四角錐等）であるが、その頂点がスピーカユニット１０側に向くように、エンクロージャ５０や構造体７０において錐体を配置することもできる。
【００６２】
また、前記の実施形態の他の例として、エンクロージャ５０や構造体７０は、棒状体、板状体、球体、多面体、楕円体、錐体、及びこれら形状の複合体を混在させて構成されることもできる。すなわち、エンクロージャ５０や構造体７０は、様々な断面形状の部材を混在させて構成されることもできる。
【００６３】
また、前記の実施形態の他の例として、一体とされる棒状体３１，７１同士の接合部分を肉厚（例えば球形状の肉厚部）にすることもできる。
また、前記の実施形態の他の例として、各棒状体３１，７１は、端部同士で繋げられることに限定されない。例えば、直線形状の棒状体３１，７１の端部でない中間部位等に、他の棒状体３１，７１の端部を繋げることもできる。
【００６４】
また、前記の実施形態の他の例として、エンクロージャ５０や構造体７０とスピーカユニット１０のフレーム１１とを接合部を形成することなく一体に形成することもできる。すなわち、エンクロージャ５０や構造体７０がスピーカユニット１０のフレーム１１と一体的な構造をなす。また、第２の実施形態の場合には、筐体６０も、フレーム１１と接合部を形成することなく一体に形成することもできる。
【００６５】
このように、エンクロージャ５０、構造体７０、筐体６０とスピーカユニット１０のフレーム１１とを接合部を形成することなく一体に形成することによって、スピーカ装置１，２は、スピーカユニット１０からその背後側に出力される音波をより効果的に減衰できる。
また、前記の実施形態の他の例として、エンクロージャ３０、構造体７０における密度、すなわち、構造部材の数の密度に分布を持たせることもできる。例えば、エンクロージャ３０、構造体７０の外周部において、スピーカユニット１０の周辺や背後側の構造部材の数を多くして密度を他よりも高くすることもできる。
【００６６】
また、第１の実施形態の他の例として、エンクロージャ３０の外形は球形状にされることに限定されず、エンクロージャ３０の外形を他の形状にすることもできる。例えば、エンクロージャ３０の外形を、四角柱形状、楕円形状とすることもできる。
また、第２の実施形態の他の例として、筐体６０は球形状に限定されず、筐体６０の形状を他の形状にすることもできる。例えば、筐体６０を、四角柱形状、楕円形状にすることもできる。また、構造体７０の外形もこのような筐体６０の形状に合致した形状になる。例えば、構造体７０の外形を、四角柱形状、楕円形状にすることもできる。
【００６７】
図６は、スピーカ装置の他の構成例を示す図である。
図６に示すように、筐体８０は、四角柱形状であり、構造体９０は、この筐体８０の形状に合致した四角柱形状になる。
また、第２の実施形態の他の例として、筐体６０は構造体７０の外周全てを覆う形状に限定されず、筐体６０を構造体７０の外周の一部を覆う形状にすることもできる。
【００６８】
図７は、筐体６０を構造体７０の外周の一部を覆う形状にした一例を示す図である。
図７に示すように、筐体６０の周壁は、スピーカユニット１０の周囲、及びスピーカユニット１０の取り付け位置とは反対側の部分、すなわち、背後側に設けられている。又は、筐体６０の周壁を、スピーカユニット１０の周囲及び背後側の少なくとも一方に設けることもできる。
【００６９】
また、例えば、筐体６０において、スピーカユニット１０の取り付け位置とは反対側の部分、すなわち、構造体７０の背後側に周壁を設けることなく開口し、その他の部分に周壁を形成することもできる。すなわち、筐体６０は、スピーカユニット１０のコーン紙１４の中心を通る中心線に一致する構造体７０の中心を通る直線に対し周方向に形成された周壁、つまり略円環形状の周壁を有する。
【００７０】
また、前記の実施形態では、スピーカユニットと、非晶質体構造の形状を模した形状の構造体と、を有するスピーカ装置を実現している。
また、前記の実施形態では、スピーカユニットと、前記スピーカユニットの背後の空間に配置されて、前記空間を区画部材によって区画して複数の空間を形成する構造体と、を有するスピーカ装置を実現している。
【００７１】
また、前記の実施形態では、スピーカユニットと、前記スピーカユニットの背後に当該スピーカユニットに隣接して配置され、当該スピーカユニットから出力される全方向の逆相の音波が入力されて、当該音波を直進させずに迂回させて進ませる形状の構造体と、を有するスピーカ装置を実現している。
【００７２】
また、本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００７３】
１，２  スピーカ装置、１０  スピーカユニット、３０，５０  エンクロージャ、３１，７１  棒状体、６０，８０  筐体、７０，９０  構造体
【図１】
2019140587.tif 000003
【図２】
2019140587.tif 000004
【図３】
2019140587.tif 000005
【図４】
2019140587.tif 000006
【図５】
2019140587.tif 000007
【図６】
2019140587.tif 000008
【図７】
2019140587.tif 000009